(57)【要約】【課題】所定の用紙束に綴じられたステープルを、ステープラに備えられた除針部により取り除く作業の際に、ステープラ本体を吊り下げる吊下部材が邪魔にならずに、除針できるようにする。【解決手段】ステープルを取り除くリムーバ１ｉを有したクリンチャアーム１を被覆するクリンチャカバー２が、ステープラ本体を吊り下げる吊下部材８１の取付紐８１ａを取り付ける取付孔２ａを、リムーバ１ｉから所定距離を隔てた位置に有するものである。【選択図】    図８
2008137081.tif 000002
【特許請求の範囲】
【請求項１】
所定の綴り力に基づいてステープルを折り曲げて用紙を綴じるステープラであって、
一端に前記ステープルを取り除く除針部を有し、かつ、他端に前記ステープルを曲げる針曲部を有し、前記綴り力により所定の位置から押し出される前記ステープルを、当該針曲部で曲げて綴じる綴じ腕部と、
前記綴じ腕部を被覆する綴じ被覆部とを備え、
前記綴じ被覆部は、
当該綴じ具本体を吊り下げる吊下部材を取り付ける取付部を、前記除針部から所定距離を隔てた位置に有することを特徴とするステープラ。
【請求項２】
前記綴じ被覆部は、
前記取付部と前記所針部との間の部位に、
磁石を装着する装着部を備えて当該磁石を被覆することを特徴とする請求項１に記載のステープラ。
【請求項３】
所定の綴り力に基づいてステープルを折り曲げて用紙を綴じるステープラであって、
一端に前記ステープルを取り除く除針部を有し、かつ、他端に前記ステープルを曲げる針曲部を有し、前記綴り力により所定の位置から押し出される前記ステープルを、当該針曲部で曲げて綴じる綴じ腕部と、
前記綴じ腕部を被覆する綴じ被覆部とを備え、
前記綴じ被覆部は、
本体部と、
前記本体部と離隔して設けられて磁石が装着される装着部と、
前記本体部と前記装着部とを接続し、前記綴じ腕部との間に間隙を有する接続部とを備え、
前記綴じ腕部に取り付けられることで、当該綴じ腕部と協働して前記磁石を被覆することを特徴とするステープラ。
【発明の詳細な説明】
【技術分野】
【０００１】
本発明は、所望の用紙束をステープルで綴じるステープラに関するものである。詳しくは、ステープルを取り除く除針部を有した綴じ腕部を被覆する綴じ被覆部が、吊下部材を取り付ける取付部を、除針部から所定距離を隔てた位置に有することで、ステープルを取り除く作業の際に吊下部材が邪魔にならずに、除針できるようにする。
【背景技術】
【０００２】
従来、用紙束に綴じられたステープルを取り除く除針部（リムーバ）を備え、この除針部が、紐部材などのような吊下部材を取り付ける為の取付孔を有したステープラが使用される場合が多い。この場合、取付孔に吊下部材の紐が通されて当該吊下部材が取付孔に固定されることにより、吊下部材がステープラ本体に取り付けられる。
【０００３】
このような従来例に関連して、特許文献１には、不要針取外し部を備えたステープラが開示されている。このステープラによれば、不要針取外し部に、吊下部材を取り付ける取付孔を有するものである。これにより、取付孔に取り付けられた吊下部材により、本体を持ち運びし易くなる。
【０００４】
【特許文献１】実開昭６２−１６１９８３号公報（第１頁  １図）
【発明の開示】
【発明が解決しようとする課題】
【０００５】
しかしながら、本発明に係る特許文献１は、吊下部材が不要針取外し部（除針部）に設けられた取付孔に取り付けられているので、この不要針取外し部によりステープルを取り除く作業の際に、取付孔に取り付けられた吊下部材がステープルに接触して吊下部材が邪魔になり、除針作業を円滑に行うことができないおそれがある。
【０００６】
そこで、本発明は上述した課題を解決したものであって、ステープルを取り除く作業の際に、綴じ具本体を吊り下げる吊下部材が邪魔にならずに、除針できるようにしたステープラを提供することを目的とする。
【課題を解決するための手段】
【０００７】
上述した課題を解決するために、本発明に係る請求項１に記載の第１のステープラは、所定の綴り力に基づいてステープルを折り曲げて用紙を綴じるステープラであって、一端に前記ステープルを取り除く除針部を有し、かつ、他端に前記ステープルを曲げる針曲部を有し、前記綴り力により所定の位置から押し出される前記ステープルを、当該針曲部で曲げて綴じる綴じ腕部と、前記綴じ腕部を被覆する綴じ被覆部とを備え、前記綴じ被覆部は、吊下部材を取り付ける取付部を、前記除針部から所定距離を隔てた位置に有することを特徴とするものである。
【０００８】
本発明に係る第１のステープラによれば、除針部から所定距離を隔てた位置に設けられた綴じ被覆部の取付部に、吊下部材が取り付けられるので、除針部による除針作業の際に、綴じ具本体を吊り下げる吊下部材が邪魔にならずに、除針できる。
【０００９】
上述した課題を解決するために、本発明に係る請求項３に記載の第２のステープラは、所定の綴り力に基づいてステープルを折り曲げて用紙を綴じるステープラであって、一端に前記ステープルを取り除く除針部を有し、かつ、他端に前記ステープルを曲げる針曲部を有し、前記綴り力により所定の位置から押し出される前記ステープルを、当該針曲部で曲げて綴じる綴じ腕部と、前記綴じ腕部を被覆する綴じ被覆部とを備え、前記綴じ被覆部は、本体部と、前記本体部と離隔して設けられて磁石が装着される装着部と、前記本体部と前記装着部とを接続し、前記綴じ腕部との間に間隙を有する接続部とを備え、前記綴じ腕部に取り付けられることで、当該綴じ腕部と協働して前記磁石を被覆することを特徴とするものである。
【００１０】
本発明に係る第２のステープラによれば、綴じ被覆部の本体部と離隔して設けられた磁石の装着部と当該本体部とを接続する接続部に吊下部材が取り付けられるので、除針部による除針作業の際に、綴じ具本体を吊り下げる吊下部材が邪魔にならずに、除針できる。
【発明の効果】
【００１１】
本発明に係る第１のステープラによれば、ステープルを取り除く除針部を有した綴じ腕部を被覆する綴じ被覆部が、吊下部材を取り付ける取付部を、除針部から所定距離を隔てた位置に有するものである。
【００１２】
この構成によって、除針部によりステープルを取り除く作業の際に、綴じ具本体を吊り下げる吊下部材が邪魔にならずに、除針できる。
【００１３】
本発明に係る第２のステープラによれば、綴じ被覆部の本体部と離隔して設けられた磁石の装着部と当該本体部とを接続する接続部に吊下部材を取り付けるものである。
【００１４】
この構成によって、除針部によりステープルを取り除く作業の際に、綴じ具本体を吊り下げる吊下部材が邪魔にならずに、除針できる。
【発明を実施するための最良の形態】
【００１５】
以下、図面を参照しながら、本発明に係るステープラについて説明をする。
【００１６】
図１は、本発明に係るステープラ１００の構成例を示す断面図である。図１に示す携帯型のステープラ１００は、所定の綴り力に基づいてステープルを折り曲げて用紙を綴じるようになされる。
【００１７】
ステープラ１００は、綴じ腕部の一例を構成するクリンチャアーム１を有している。クリンチャアーム１は、所定形状の主体枠１ａ、クリンチャ溝部１ｈ及びリムーバ１ｉを備えている。主体枠１ａは金属板を所定の形状に折曲して構成され、ステープラ１００の本体ベース部を構成している。
【００１８】
リムーバ１ｉは除針部の一例を構成し、主体枠１ａの一端に設けられている。リムーバ１ｉは、所定の用紙束を綴じるステープル３０を取り除く際に、当該ステープル３０のクラウン部分と用紙束との間に挿入され、ステープル３０を引き抜くようになされる。
【００１９】
クリンチャ溝部１ｈは針曲部の一例を構成し、主体枠１ａの他端に設けられている。クリンチャ溝部１ｈは、綴り力により所定の位置から押し出されるステープル３０を曲げて綴じる。クリンチャ溝部１ｈの形状はメガネ状又は平形（フラット）状である。フラット状の場合、綴じたステープル３０の脚部がふくらまず、平らに押し曲げられる。これにより、用紙を重ねてもかさばらないようにできる。
【００２０】
主体枠１ａの裏面側は、綴じ被覆部の一例を構成するクリンチャカバー２により被覆（保護）されている。クリンチャカバー２は、意匠形状を施した合成樹脂製の整形枠から構成されている。
【００２１】
クリンチャアーム１の主体枠１ａには、マガジン３が可動自在に取り付けられている。マガジン３は、所定形状の主体枠３ａを有している。マガジン３は、その主体枠３ａの一端にステープル打出口１２を有し、かつ、他端に駆動軸支点用の孔部（以下孔部３ｂ，３ｃという）を有してステープル３０が装填される。マガジン３の後部側で、主軸用のピン（以下主ピン２１という）が主体枠１ａの孔部３ｂ，３ｃに係合される。マガジン３には、１連接着本数が５０本であるステープル３０を１連乃至２連を装填可能となされている。
【００２２】
マガジン３には、プッシャ６がスライド自在に係合（摺嵌）され、マガジン３に装填されたステープル３０を先端のステープル打出口１２に向けて押圧する（送る）ように動作する。この例で、プッシャ６にバネガイド６ａを通し、当該バネガイド６ａにスプリングバネ６ｂを挿入してマガジン３内に取り付けられている。
【００２３】
マガジン３の後部側とクリンチャアーム１の後部側との間には、コイルバネ１０が介在するように配置される。コイルバネ１０は、クリンチャアーム１とマガジン３との間に用紙束を介在させるために、そのクリンチャ溝部１ｈとそのステープル打出口１２との間に所定の隙間を保持するようになされる。
【００２４】
上述の主ピン２１には、ドライバアーム４が可動自在に取り付けられる。ドライバアーム４は、本体枠４ａを有している。本体枠４ａは、天板面及び両側面を有するように、金属板を折り曲げ加工して、所定形状に折曲して形成される。ドライバアーム４は、その一端（先端）にドライバ５を有し、かつ、他端（後端）に主ピン２１を受けるための孔部４ｂ，４ｃを有している。ドライバ５は、プッシャ６により押圧されるステープル３０の上部に当接され、ドライバアーム４に加えられる押下力でステープル３０の上部を打つようになされる。
【００２５】
ドライバアーム４の本体枠４ａの内側であって、マガジン３上にはステープルカバー７が配置され、マガジン３に装填されたステープル３０を下方に向けて押え込むようになされる。ステープルカバー７は主ピン２１に回動自在に取り付けられる。この例でステープルカバー７の端部はＵ状を成し、主ピン２１に覆い被さるように回動自在に係合される。
【００２６】
ドライバアーム４の本体枠４ａと、マガジン３上のステープルカバー７との間には、コイルバネ１０よりも弾性を強く設定されたコイルバネ１１が備えられている。コイルバネ１１は、ドライバ５をマガジン３内から押し出してステープル打出口１２上で待機するように付勢される。この状態はステープラ１００の待機状態である。
【００２７】
ドライバアーム４の上方にはハンドル８が備えられ、当該ドライバアーム４のドライバ５に綴じ力を加えるように操作される。ハンドル８は、金属板を所定の形状に折曲して構成した主体枠８ａを有している。
【００２８】
ハンドル８の上部にはハンドルカバー９が取り付けられ、当該ハンドル８の主体枠８ａの表面を被覆するように套装されている。ハンドルカバー９は、クリンチャカバー２と同様にして、意匠形状を施した合成樹脂製の整形枠から構成されている。
【００２９】
ハンドル８及びハンドルカバー９は、その後端部において、主ピン２１より上方に配置した第２の駆動軸支点部（以下接続軸２２という）で、回動自在に係合（枢着）されている。接続軸２２は、例えば、クリンチャアーム１の板金側面にバーリング加工等によって環状に設けられた凸状の軸部１ｄ、１ｅ（図３参照）と、ハンドル８の板金側面に設けられたＵ状の軸受け部８ｄ，８ｅで構成されている。
【００３０】
しかも、ハンドル８及びハンドルカバー９の接続軸２２からその先端部（ステープル打出口方向）に至る途中にドライバアーム４を押下する作用点ｑが設定されている。この作用点ｑには、ハンドル８とドライバアーム４とを自在に係合する作用点用のピン（以下作用ピン２３という）が設けられる。
【００３１】
このように、マガジン３及びドライバアーム４が共有する主ピン２１の位置よりも接続軸２２の位置を上方に設定すると、ハンドル８及びハンドルカバー９の先端部を力点ｐとしたとき、この接続軸２２が支点となって、作用点ｑでドライバアーム４を押下すると共にハンドルカバー９の力点ｐとで、少ない押下力でステープル３０を綴じることができる（倍力機構）。
【００３２】
この例で、マガジン３、ドライバアーム４及びステープルカバー７の主ピン２１や、ハンドル８及びハンドルカバー９の接続軸２２等が構成されたステープラ１００の後端部には、バックカバー１５が設けられる。
【００３３】
バックカバー１５は湾曲カバー部１５ｄを有している。湾曲カバー部１５ｄには折り曲げ支点部Ｐ−Ｐが設定されている。例えば、折り曲げ支点部Ｐ−Ｐの位置は、マガジン３の主ピン２１の位置よりも下方に設定される。この例で、湾曲カバー部１５ｄは、一端がハンドル８とハンドルカバー９の間を通り、かつ、ドライバアーム４とハンドル８の間に滑り込むようになされ、他端がマガジン３に取り付けられる。
【００３４】
この例で、ハンドルカバー９の上面後方には、ステープル収納部１７が設けられる。例えば、予備のステープル３０を２つ組み合わせた状態で収納可能となされている。ステープル収納部１７には収納蓋１８が可動自在に取り付けられ、その上部を覆うように閉められる。このように、ステープラ１００は構成されている。
【００３５】
図２及び図３は、ステープラ１００の組立例（その１、２）を示す斜視図である。この例ではクリンチャアーム１を基準にして、マガジン３及びバックカバー１５の部品部分（図２に該当）と、クリンチャカバー２、ドライバアーム４、ハンドル８、ハンドルカバー９の部品部分（図３に該当）の２つに分けて説明する。
【００３６】
まず、図２に示すクリンチャアーム１にマガジン３、ステープルカバー７及びバックカバー１５を取り付ける。クリンチャアーム１には、所定形状の主体枠１ａ、主軸受け用の孔部１ｂ、１ｃ、接続軸構成用の凸状部１ｄ，１ｅ、ロック用の孔部１ｆ、１ｇ及びクリンチャ溝部１ｈを備えたものが使用される。
【００３７】
この例で、最初に、マガジン３にバックカバー１５を取り付ける。バックカバー１５は、カバー本体を構成する所定形状の座部１５ａを有している。座部１５ａには、係止用の爪状の突起部１５ｂ、係止用の逆Ｌ状（双頭爪状）の突起部１５ｃ及び被覆用の湾曲カバー部１５ｄが連設されている。
【００３８】
座部１５ａは、所定の位置で折れ曲がった形状（断面「く」状）を有し、その前半部分と後半部分とが画定されている。前半部分の座部表面側には、係止用の突起部１５ｂが設けられる。突起部１５ｂから所定距離だけ離れた位置には、係止用の逆Ｌ状（双頭爪状）の突起部（以下双頭突起部１５ｃという）が設けられている。
【００３９】
このバックカバー１５の双頭突起部１５ｃをマガジン３のＴ状孔部３ｉに嵌め込む。このとき、双頭突起部１５ｃがＴ状孔部３ｉの腕部に位置合わせして嵌入される。この時点で、係止用の爪状の突起部１５ｂは、図示しない矩形孔部に係合されることなく、ずれた位置でマガジン３の背面に当接される。次に、Ｔ状孔部３ｉの腕部から胴部にかけてスライド（摺動）し、突起部１５ｂの垂直に切り立った部分を図示しないマガジン３の矩形孔部に嵌合する。これにより、双頭突起部１５ｃがＴ状孔部３ｉに各々係合されて固定される。もちろん、バックカバー１５を先にマガジン３に組み込む必要はなく、組立て順序はこれに限られることはない。
【００４０】
次に、マガジン３内にプッシャ６、バネガイド６ａ、スプリングバネ６ｂを取り付ける。マガジン３には、所定形状の主体枠３ａ、主軸受け用の孔部３ｂ，３ｃ、ロック用の孔部３ｄ，３ｅ、針確認窓部３ｆ，３ｇ及びステープル打出口１２を備えている他、矩形孔部及びＴ状孔部３ｉを備えたものが使用される。
【００４１】
例えば、プッシャ６にバネガイド６ａを通し、当該バネガイド６ａにスプリングバネ６ｂを挿入し、この状態でマガジン３内にこれらの組立部品を組み入れる。スプリングバネ６ｂは、ステープル３０が装填されない側であって、プッシャ６の端面側と、マガジン３内の後端側との間に挿入される。
【００４２】
次に、マガジン３上にステープルカバー７を係合する。ステープルカバー７には所定形状を有した本体枠７ａ、主軸係合用のＵ状部７ｂ，７ｃ及びプッシャバンド係合用の開口部７ｄを備えたものが使用される。ステープルカバー７は、ドライバアーム４と共に主ピン２１によって係合される。
【００４３】
更に、プッシャバンド６ｃをプッシャ６とステープルカバー７の間に取り付ける。プッシャバンド６ｃには、所定の長さを有し、剣先部６１、Ｔ状部６２及び突起部６３を有した舌状のものが使用される。例えば、剣先部６１をプッシャ６の係合部６４に取り付ける。Ｔ状部６２及び突起部６３をステープルカバー７の開口部７ｄに取り付ける。プッシャバンド６ｃには、合成樹脂製のものが使用される。
【００４４】
この時点で、クリンチャアーム１及びマガジン３にロックピン１３及びロックキャップ１４を取り付けてもよい。マガジン３には、所定の位置にピン挿入用の孔部３ｄ，３ｅを備えたものが使用される。ロックピン１３には、一端が抜け止め加工がなされ、他方が係止部を有した棒状体が使用される。ロックキャップ１４には、段付きの係合部品が使用される。ロックキャップ１４は、小径部位及び大径部位を有している。
【００４５】
クリンチャアーム１の所定の位置には、ロック用の略だるま形状の孔部１ｆと、長孔形状の孔部１ｇとが設けられる。孔部１ｆは小口径部位及び大口径部位を有している。孔部１ｆの小口径部位はロックピン１３の外径と略等しくなされる。また、孔部１ｆの大口径部位はロックキャップ１４の小径部位と略等しくなされる。ロックキャップ１４の大径部位は、孔部１ｆの大口径部位よりも大きくなされている。
【００４６】
ロックピン１３は、クリンチャアーム１の長孔形状の孔部１ｇから挿入され、マガジン３の孔部３ｅ，３ｄを通して、略だるま形状の孔部１ｆに至り、その先端にロックキャップ１４が取り付けられる。このように、孔部１ｆ及びロックキャップ１４を構成すると、孔部１ｆの大口径部位にロックピン１３が位置したときに、ロックキャップ１４をクリンチャアーム１側に押すと、孔部１ｆの大口径部位にキャップ１４の小径部位が嵌合される。これにより、クリンチャアーム１に対して、マガジン３をロックできるようになる（ロック機構）。
【００４７】
この動きと反対に、ロックされた状態で、ロックキャップ１４を付勢して図２の紙面右下側へに引っ張ると、孔部１ｆの大口径部位に嵌合されたキャップ１４の小径部位が、嵌合解除され、ロックピン１３が孔部１ｆの小口径部位に移動し、クリンチャアーム１に対するマガジン３のロックが解除される。
【００４８】
また、図２で組み上げたクリンチャアーム１、マガジン３、ステープルカバー７及び、バックカバー１５から成る中途組上げ部品に、図３に示すクリンチャカバー２、ドライバアーム４、ハンドル８、ハンドルカバー９、コイルバネ１０、コイルバネ１１を取り付ける。ドライバ５は予めドライバアーム４に取り付けておく。
【００４９】
この例では、コイルバネ１０をクリンチアーム１とマガジン３の間に配置し、コイルバネ１１をドライバアーム４とステープルカバー７の間に配置し、主ピン２１を主体枠１ａの主軸受け用の孔部１ｂからドライバアーム４の主軸受け用の孔部４ｂを通して、更に、マガジン３の主軸受け用の孔部３ｂ及び３ｃを通して、再び、ドライバアーム４の孔部４ｃを通して、主体枠１ａの孔部１ｃに至るように組立てる。
【００５０】
次に、作用ピン２３をハンドル８の主体枠８ａの作用点用の孔部８ｂから、ドライバアーム４の主体枠４ａの作用点用の孔部４ｄを通して孔部４ｅに至り、更に、主体枠８ａの孔部８ｃに至るように組立てる。その後、クリンチャアーム１にクリンチャカバー２を取り付ける。この例で、クリンチャカバー２をクリンチャアーム１に整合して取り付けるために、クリンチャカバー２は、本体部２ｚ、装着部２ｂ、係止用の逆Ｌ状（双頭爪状）の突起部２ｃ（以下双頭突起部２ｃという）、円形突起部２ｄ、複数のライン突起部２ｅ、突起部２ｆ、差込部２ｇ及び磁石２ｈを備える。
【００５１】
装着部２ｂは、クリンチャカバー２の一端（後端）に設けられている。この装着部２ｂには磁石２ｈが装着される。例えば、装着部２ｂの形状は円形の凹形状であり、円柱形状の磁石２ｈが接着剤などで装着部２ｂに接着されて装着される。装着部２ｂに装着された磁石２ｈは、リムーバ１ｉにより除針されたステープル３０を引き付ける。
【００５２】
双頭突起部２ｃは装着部２ｂの近傍に設けられ、この双頭突起部２ｃ近傍には、円形突起部２ｄが設けられている。クリンチャカバー２の中央には、３本のライン突起部２ｅが設けられ、中央のライン突起部２ｅ上には、突起部２ｆが設けられている。クリンチャカバー２の先端には、差込部２ｇが設けられている。
【００５３】
例えば、差込部２ｇはコの字形状に成形されており、この差込部２ｇにクリンチャアーム１の先端部１ｊを差し込む。その後、円形突起部２ｄと円形開口部１ｋの位置合わせを行うと共に、双頭突起部２ｃをクリンチャアーム１の図示しない開口係止部に挿入し、双頭突起部２ｃの爪が、クリンチャアーム１の開口係止部に引っかける。この場合、開口係止部の開口幅は、双頭突起部２ｃの幅よりも若干狭く設定されている。双頭突起部２ｃを開口係止部に挿入する際、双頭突起部２ｃの双頭を寄せて双頭突起部２ｃの幅を狭め、この状態で開口係止部に挿入する。挿入後は、双頭突起部２ｃの爪がクリンチャアーム１の開口係止部に引っかかるまで双頭突起部２ｃを押し上げる。これにより、クリンチャカバー２がクリンチャアーム１に取り付けられる。このとき、クリンチャカバー２の３本のライン突起部２ｅがクリンチャアーム１の図示しない溝部に係合され、クリンチャカバー２がクリンチャアーム１に整合される。また、ライン突起部２ｅの突起部２ｆにより、クリンチャカバー２がクリンチャアーム１から離反する方向へ力が働く。これにより、クリンチャカバー２は、差込部２ｇ及び双頭突起部２ｃにより固定された状態で突起部２ｆにより離反されるので、クリンチャカバー２のガタツキを防止できる。
【００５４】
クリンチャアーム１にクリンチャカバー２を取り付け後、ハンドル８にハンドルカバー９を取り付け、ハンドルカバー９の上部に収納蓋１８を取り付ける。そして、バックカバー１５で後端部の開口部を套装する。このようにして、図１に示したステープラ１００を完成する。
【００５５】
図４Ａ及びＢは、クリンチャカバー２の構成例を示す斜視図である。図４Ａに示すクリンチャカバー２は表面の状態を示したものであり、上述した装着部２ｂ及び磁石２ｈの他に取付孔２ａを備える。
【００５６】
磁石２ｈは装着部２ｂに装着されている。この装着部２ｂに装着された磁石２ｈを、図３に示したリムーバ１ｉによりステープル３０が用紙束などから取り除かれて当該用紙束上などに散乱したステープル３０に、クリンチャカバー２の背面側から当接させる。これにより、ステープル３０は磁石２ｈにより引き寄せられて、クリンチャカバー２を介して磁石２ｈに引っ付く。従って、取り除かれたステープル３０を散逸させることなく簡単に集めることができる。このとき、磁石２ｈはクリンチャカバー２の装着部２ｂに覆われて露出していないので、例えば作業場などの屋外で磁石２ｈを使用した場合に、砂鉄や、鉄粉、鉄分を含んだ切粉といった磁性粉が当該磁石２ｈに付着することを防止できる。仮に、これらの磁性粉がクリンチャカバー２を介して磁石２ｈに付着した場合でも、クリンチャカバー２の背面側を手などで掃うことで、磁性粉の除去が容易である。
【００５７】
また、リムーバ１ｉによりステープル３０が用紙束から取り除かれると共に磁石２ｈに引き寄せられ、除かれたステープル３０がリムーバ１ｉに付着することで、当該ステープル３０を集めることも考えられる。
【００５８】
クリンチャカバー２には、リムーバ１ｉから所定距離を隔てた位置に、取付孔２ａが設けられている。例えば、この取付孔２ａは、除針作業に邪魔にならない距離を隔てた位置に設けられている。図４（Ａ）に示す如く、この取付孔２ａには、ステープラ１００の本体を吊り下げる吊下部材が取り付けられる。取付孔２ａは、第１の開口部２ｉ、第２の開口部２ｊ及び仕切り部材２ｋを備える。取付孔２ａの形状はＵ形状であり、取付孔２ａの中央が接続部としての仕切り部材２ｋにより仕切られ、紙面向かって左側に開口部２ｉが形成され、紙面向かって右側に開口部２ｊが形成されている。この例で、吊下部材の取付紐の一端が開口部２ｊに通されて仕切り部材２ｋに回されて開口部２ｉに至り、取付紐の他端と係合される。このようにして、吊下部材を取付孔２ａに取り付ける（図７参照）。なお、仕切り部材２ｋの厚みは、開口部２ｉ及び２ｊの深さよりも薄く設定されている。吊下部材の取付紐を通すためである。
【００５９】
図４Ｂに示すクリンチャカバー２は裏面の状態を示したものである。取付孔２ａの開口部２ｉ及び２ｊの開口範囲は、裏面の開口範囲が表面の開口範囲よりも広く設定されている。例えば、開口部２ｉ及び２ｊは、裏面の開口面から表面の開口面に向けて先細るように斜面が形成されている。これは、裏面の開口部２ｉ又は２ｊから紐などの吊下部材を挿入し易くするためである。
【００６０】
双頭突起部２ｃは、開口部２ｎに沿って設けられている。これは、クリンチャカバー２をクリンチャアーム１から取り外す際に、この開口部２ｎから双頭突起部２ｃを操作して双頭突起部２ｃの先端の向きを変更し、爪の引っかかりを解除するためである。
【００６１】
図５Ａ及びＢは、クリンチャカバー２の装着例を示す説明図である。図５Ａは、クリンチャアーム１にクリンチャカバー２を装着した状態の斜視図である。図５Ａに示すクリンチャカバー２は、差込部２ｇにクリンチャアーム１の先端部１ｊが差し込まれ、図４に示した双頭突起部２ｃがクリンチャアーム１の図示しない開口係止部に挿入されて固定されている。このとき、クリンチャカバー２の３本のライン突起部２ｅがクリンチャアーム１の図示しない溝部に係合され、クリンチャカバー２がクリンチャアーム１に整合されている。この時点で、クリンチャカバー２は、差込部２ｇ及び双頭突起部２ｃにより固定された状態で突起部２ｆによりクリンチャアーム１から離反されている。
【００６２】
図５Ｂは、図５Ａに示したクリンチャアーム１及びクリンチャカバー２を背面側から見た背面図である。図５Ｂに示すＸ１〜Ｘ３で切断した断面を用いて取付孔２ａ及び磁石２ｈの装着部２ｂの構成を説明する。
【００６３】
図６はクリンチャカバー２の構成例を示す断面図である。図６に示すクリンチャカバー２の取付孔２ａは、図５Ｂに示したＸ１−Ｘ１矢視断面であり、理解を容易にする為に図面の天地関係を逆にした図であって、当該取付孔２ａに吊下部材８１の取付紐８１ａを通した状態である。
【００６４】
取付孔２ａの中央が仕切り部材２ｋにより仕切られ、紙面向かって右側に開口部２ｉが形成され、左側に開口部２ｊが形成されている。仕切り部材２ｋの厚みは、取付紐８１ａを通すために、開口部２ｉ及び２ｊの深さＤ１よりも薄く設定されている。また、双頭突起部２ｃの爪２ｍが、クリンチャアーム１の開口係止部１ｍに引っかけられて、クリンチャカバー２がクリンチャアーム１に固定されている。
【００６５】
図７Ａ〜Ｃは、吊下部材８１の取付例を示す斜視図である。図７Ａに示すクリンチャカバー２は、図４Ｂに示したクリンチャカバー２（背面図）の状態である。この状態でクリンチャカバー２には、吊下部材８１が装着されていない。
【００６６】
この例で、吊下部材８１は取付紐８１ａ、締付部８１ｂ及び本体８１ｃを有している。取付紐８１ａは、締付部８１ｂにより本体８１ｃに締め付けられて固定されている。例えば、締付部８１ｂは、締付ボタン８１ｄと、この締付ボタン８１ｄに結合された図示しない締付部材とを有している。この締付部材に取付紐８１ａの先端部をセットし、当該締付ボタン８１ｄを押下げて取付紐８１ａの先端部を締付部材により締付固定する。
【００６７】
このような吊下部材８１をクリンチャカバー２に取り付ける場合、先ず、締付ボタン８１ｄを押上げて、締付部材により締付固定された取付紐８１ａの先端部を解放する。次に、解放された取付紐８１ａの先端部を、図７Ｂに示す取付孔２ａの開口部２ｊに通して仕切り部材２ｋに回して開口部２ｉに至るようにする。これにより、取付紐８１ａを取付孔２ａに通した状態となる。
【００６８】
その後、図７Ｃに示すように、取付孔２ａに通された取付紐８１ａの先端部を、締付部８１ｂの締付ボタン８１ｄに結合された締付部材にセットし、当該締付ボタン８１ｄを押下げて取付紐８１ａの先端部を締付部材により締付固定する。このようにして、吊下部材８１を取付孔２ａに取り付ける。
【００６９】
図８は、取付部材８１が取り付けられたステープラ１００の構成例を示す概略図である。図８に示す取付部材８１は、上述の図７Ａ〜Ｃに示した工程に基づいて取り付けられたものである。この取付部材８１は、例えば、ステープラ１００を持ち運びする際に利用される。また、持ち運び先で、リムーバ１ｉによりステープル３０を取り除く際には、取付部材８１が取付孔２ａに取り付けられた状態で、取付部材８１の本体８１ｃを邪魔にならない方向に移動する。例えば、本体８１ｃをクリンチャアーム１の先端部１ｊの方向に移動すると共に、本体８１ｃの取付紐８１ａも先端部１ｊの方向に移動する。移動後、リムーバ１ｉを使用してステープル３０を取り除く。これにより、リムーバ１ｉによりステープル３０を取り除く作業の際に、吊下部材８１が邪魔にならずに、除針できる。
【００７０】
このように、本発明に係るステープラ１００によれば、ステープル３０を取り除くリムーバ１ｉを有したクリンチャアーム１を被覆するクリンチャカバー２が、ステープラ本体を吊り下げる吊下部材８１を取り付ける取付孔２ａを、リムーバ１ｉから所定距離を隔てた位置に有するものである。従って、リムーバ１ｉによりステープル３０を取り除く作業の際に、吊下部材８１が邪魔にならずに、除針できる。
【００７１】
なお、本発明では、クリンチャカバー２に吊下部材８１を取り付ける取付孔２ａを設けたが、これに限らずハンドルカバー９やハンドル８などのリムーバ１ｉから所定距離を隔てた位置に取付孔２ａを設けてもよい。
【００７２】
図９Ａ及びＢは、クリンチャカバー２の構成例を示す断面図である。図９Ａに示すクリンチャカバー２は、図５に示したＸ２−Ｘ２矢視断面であって、理解を容易にする為、図面の天地関係を逆にした図である。クリンチャカバー２の装着部２ｂには、図３に示した磁石２ｈが装着されている。
【００７３】
装着部２ｂに磁石２ｈを装着する場合、図９Ｂに示すように、クリンチャアーム１とクリンチャカバー２とが分離された状態で、先ず、例えばクリンチャカバー２の凹形状の装着部２ｂに、接着剤を塗る。次に、接着剤が塗られた凹形状の装着部２ｂに、円柱形状の磁石２ｈを嵌め込んで装着する。その後、接着剤が固まるまで所定時間ほど時間が経過するのを待って、クリンチャカバー２をクリンチャアーム１に取り付ける。このようにして、磁石２ｈがクリンチャカバー２の装着部２ｂに装着されてクリンチャカバー２が構成される。
【００７４】
図１０Ａ及びＢは、クリンチャカバー２の構成例を示す断面図である。図１０Ａに示すクリンチャカバー２は、図５に示したＸ３−Ｘ３矢視断面であって、理解を容易にする為、図面の天地関係を逆にした図である。図１０Ａに示すクリンチャカバー２の装着部２ｂには、磁石２ｈが装着されている。
【００７５】
なお、図１０Ｂの断面図に示すように、取付孔２ａはリムーバ１ｉから磁石２ｈの装着部２ｂを介した位置に設けられている。リムーバ１ｉによりステープル３０を取り除く際に、取付孔２ａに取り付けられた取付紐８１ａの吊下部材８１とステープル３０との間に十分なスペースが確保できるので、取付孔２ａに取り付けられた吊下部材８１が邪魔にならずに、用紙束などに綴じられたステープル３０をリムーバ１ｉで除針することができる。
【産業上の利用可能性】
【００７６】
この発明は、所望の用紙束をステープルで綴じるステープラ等に適用して好適である。
【図面の簡単な説明】
【００７７】
【図１】本発明に係る実施形態としてのステープラ１００の構成例を示す断面図である。
【図２】ステープラ１００の組立例（その１）を示す斜視図である。
【図３】ステープラ１００の組立例（その２）を示す斜視図である。
【図４】Ａ及びＢは、クリンチャカバー２の構成例を示す斜視図である。
【図５】Ａ及びＢは、クリンチャカバー２の装着例を示す説明図である。
【図６】クリンチャカバー２の構成例を示す断面図である。
【図７】Ａ〜Ｃは、吊下部材８１の取付例を示す斜視図である。
【図８】取付部材８１が取り付けられたステープラ１００の構成例を示す概略図である。
【図９】Ａ及びＢは、クリンチャカバー２の装着部２ｂの構成例（その１）を示す断面図である。
【図１０】Ａ及びＢは、クリンチャカバー２の装着部２ｂの構成例（その２）を示す断面図である。
【符号の説明】
【００７８】
１  クリンチャアーム（綴じ腕部）
１ｈ  クリンチャプレス部（針曲部）
１ｉ  リムーバ（除針部）
２  クリンチャカバー（綴じ被覆部）
２ａ  取付部
２ｂ  装着部
２ｈ  磁石
３  マガジン
４  ドライバアーム
５  ドライバ
６  プッシャ
７  ステープルカバー
８  ハンドル
９  ハンドルカバー
１０，１１  コイルバネ
１２  バネガイド
１３  ロックピン
１４  ロックキャップ
１５  バックカバー
８１  吊下部材
１００  ステープラ
【図１】
2008137081.tif 000003
【図２】
2008137081.tif 000004
【図３】
2008137081.tif 000005
【図４】
2008137081.tif 000006
【図５】
2008137081.tif 000007
【図６】
2008137081.tif 000008
【図７】
2008137081.tif 000009
【図８】
2008137081.tif 000010
【図９】
2008137081.tif 000011
【図１０】
2008137081.tif 000012